(57)【要約】【課題】  撮影終了時にディスクがファイナライズされる際に、ディスク撮影時のデータをラベルとして使用可能な情報として保存しておき、ラベル印刷が可能な機器に接続された場合にラベル印刷情報として出力できるようにする。【解決手段】  記録媒体に対して情報データを記録する記録手段と、前記記録媒体に対するファイナライズ処理を指示する指示手段と、前記指示手段の指示に応じて前記記録媒体に記録された情報データに関連した印刷用の画像情報を生成する生成手段と、前記指示手段の指示に応じて前記記録媒体に対するファイナライズ処理を実行するように前記記録手段を制御する制御手段とを設け、前記記録媒体に対してファイナライズ処理を実行するときに、前記記録媒体に関する印刷用の画像情報を作成しておくようにする。【選択図】  図１
2007073156.tif 000002
【特許請求の範囲】
【請求項１】
記録媒体に対して情報データを記録する記録手段と、
前記記録媒体に対するファイナライズ処理を指示する指示手段と、
前記指示手段の指示に応じて前記記録媒体に記録された情報データに関連した印刷用の画像情報を生成する生成手段と、
前記指示手段の指示に応じて前記記録媒体に対するファイナライズ処理を実行するように前記記録手段を制御する制御手段とを備えることを特徴とする記録装置。
【請求項２】
前記制御手段は更に、前記指示手段の指示に応じて、前記生成手段により生成された印刷用の画像情報を前記記録媒体に記録した後、前記ファイナライズ処理を実行するように前記記録手段を制御することを特徴とする請求項１に記載の記録装置。
【請求項３】
前記生成手段により生成された印刷用の画像情報を記憶する記憶手段を備えたことを特徴とする請求項１または２に記載の記録装置。
【請求項４】
前記指示手段の指示に応じて前記記録媒体の記録可能容量を検出する検出手段を有し、
前記制御手段は、前記検出手段により検出された前記記録可能容量が所定量以上であった場合には、前記生成手段により生成された印刷用の画像情報を記録媒体に記録した後、前記ファイナライズ処理を実行するように前記記録手段を制御し、前記記録可能容量が前記所定量に満たない場合には前記生成手段により生成された印刷用の画像情報を前記記憶手段に記憶することを特徴とする請求項３に記載の記録装置。
【請求項５】
前記生成手段により生成された印刷用の画像情報を印刷装置に対して送信する送信手段を備えたことを特徴とする請求項１〜４の何れか１項に記載の記録装置。
【請求項６】
前記制御手段は、前記指示手段の指示に応じて、前記生成手段により生成された印刷用の画像情報を前記印刷装置に送信するように前記送信手段を制御することを特徴とする請求項５に記載の記録装置。
【請求項７】
前記生成手段により生成された印刷用の画像情報を、前記印刷装置による印刷処理が終了するまで保持する保持手段を備えたことを特徴とする請求項６に記載の記録装置。
【請求項８】
前記生成手段は、ファイナライズ処理をした日付、ファイナライズ処理をした時間、前記記録装置の機種情報、前記記録媒体の識別情報、前記記録装置の識別情報、過去にファイナライズ処理をした継続回数、前記記録媒体に記録されている情報データの代表画像データ、記録時パラメータ情報のうち、少なくとも一つを用いて前記印刷用の画像情報を生成することを特徴とする請求項１〜７の何れか１項に記載の記録装置。
【請求項９】
記録媒体に対して情報データを記録手段により記録する記録工程と、
前記記録媒体に対するファイナライズ処理を指示する指示工程と、
前記指示工程の指示に応じて前記記録媒体に記録された情報データに関連した印刷用の画像情報を生成する生成工程と、
前記指示工程の指示に応じて前記記録媒体に対するファイナライズ処理を実行するように前記記録手段を制御する制御工程とを備えることを特徴とする記録装置の制御方法。
【請求項１０】
記録媒体に対して情報データを記録手段により記録する記録工程と、
前記記録媒体に対するファイナライズ処理を指示する指示工程と、
前記指示工程の指示に応じて前記記録媒体に記録された情報データに関連した印刷用の画像情報を生成する生成工程と、
前記指示工程の指示に応じて前記記録媒体に対するファイナライズ処理を実行するように前記記録手段を制御する制御工程とを備える記録装置の制御方法をコンピュータに実行させることを特徴とするコンピュータプログラム。
【発明の詳細な説明】
【技術分野】
【０００１】
本発明は記録装置、記録装置の制御方法及びコンピュータプログラムに関し、特に、ファイナライズ処理が必要な記録媒体に対して情報データを記録するために用いて好適な技術に関する。
【背景技術】
【０００２】
従来、被写体を撮影して映像信号を生成し、生成した映像信号を磁気テープに記録するビデオカメラが知られている。また、撮影の結果として、増えてしまったテープカセットを識別するために、磁気テープに記録した画像の撮影日時やタイトルを記載したラベルをパーソナルコンピュータやラベル作成機等で作成し、プリンタやラベル印刷機などを用いて別紙に印刷した後、カセットに貼るという作業を行っていた（例えば、特許文献１参照）。
【０００３】
特に、近年では、記録媒体として光ディスクなどのランダム記憶媒体を用いたビデオカメラが急速に普及しつつある。この種のビデオカメラでは、IEEE1394USB端子を備え、これらの端子を介してパーソナルコンピュータ（ＰＣ）などの機器と接続し、撮影した動画や静止画をパーソナルコンピュータに取り込んで必要な個所を編集したり、プリンタへつないで静止画を印刷したりすることができる。
【０００４】
また、DVDなどでは、プリンタからDVDディスクへ直接印刷することが可能となり、紙や台紙に印刷することなくディスク表面に画像を貼付することが可能である。デジタルビデオカメラには、ユーザが必要とするデータを入力することが可能な機器も存在しており、特にディスクに印刷するための情報はパーソナルコンピュータなどを用い、撮影時に残しておいたメモや記録した動画及び静止画を参考に作成することで、任意のラベルを作成することができる。
【０００５】
【特許文献１】特開平１０−２７１４２８号公報
【発明の開示】
【発明が解決しようとする課題】
【０００６】
前述のように、印刷用のラベルを作成する場合、撮影が終了したときの日時や撮影場所等の情報をビデオカメラが保持しているにも関わらず、パーソナルコンピュータなどの外部機器を用い、印刷用のラベル情報を改めて作成する必要があった。
【０００７】
そのため、ラベルを作成する機器がない場合には、ディスク内部の情報を撮影後に改めて再生して確認する必要があった。特に、ラベルに使われる情報は撮影時に記録しておいたとしても、動画データを再生して同時に記録しておいたメモや静止画から推測し、再度作成時に確認して入力することが必要であった。
【０００８】
本発明は前述の問題点に鑑みて、ディスクに記録されている内容をラベルとして容易に認識可能にすることを目的とする。
【課題を解決するための手段】
【０００９】
本発明の記録装置は、記録媒体に対して情報データを記録する記録手段と、前記記録媒体に対するファイナライズ処理を指示する指示手段と、前記指示手段の指示に応じて前記記録媒体に記録された情報データに関連した印刷用の画像情報を生成する生成手段と、前記指示手段の指示に応じて前記記録媒体に対するファイナライズ処理を実行するように前記記録手段を制御する制御手段とを備えることを特徴とする。
【００１０】
本発明の記録装置の制御方法は、記録媒体に対して情報データを記録手段により記録する記録工程と、前記記録媒体に対するファイナライズ処理を指示する指示工程と、前記指示工程の指示に応じて前記記録媒体に記録された情報データに関連した印刷用の画像情報を生成する生成工程と、前記指示工程の指示に応じて前記記録媒体に対するファイナライズ処理を実行するように前記記録手段を制御する制御工程とを備えることを特徴とする。
【００１１】
本発明のコンピュータプログラムは、記録媒体に対して情報データを記録手段により記録する記録工程と、前記記録媒体に対するファイナライズ処理を指示する指示工程と、前記指示工程の指示に応じて前記記録媒体に記録された情報データに関連した印刷用の画像情報を生成する生成工程と、前記指示工程の指示に応じて前記記録媒体に対するファイナライズ処理を実行するように前記記録手段を制御する制御工程とを備える記録装置の制御方法をコンピュータに実行させることを特徴とする。
【発明の効果】
【００１２】
本発明の記録再生装置によれば、動画像または静止画像を記録した記録媒体に対してファイナライズ処理を行う際に、印刷用の画像情報を自動的に生成するようにしたので、印刷可能な機器へ接続した際に、前記生成した印刷用の画像情報を用いてラベル印刷することができる。
また、本発明の他の特徴によれば、印刷が終了するまで前記印刷用の画像情報を内部に保持するようにしたので、必要に応じて編集を加えることができる。
また、本発明のその他の特徴によれば、記録媒体をファイナライズした際に外部機器として印刷機能を備えた印刷装置などの機器が接続されている場合に、前記生成した印刷用の画像情報を同時に印刷することも可能である。
また、本発明のその他の特徴によれば、ラベルを作成及び編集する機器を介することなくラベル印刷を行なうことが可能なため、ファイナライズした後で直ぐにラベル印刷を行なうことが可能となり、複数の記録媒体が混在する時に各記録媒体を容易に見分けることができ、混乱を回避することができる。
【発明を実施するための最良の形態】
【００１３】
（第１の実施の形態）
以下、図面を参照しながら本発明の実施の形態を説明する。
図１に、本実施の形態における記録再生装置であるデジタルビデオカメラの構成図を示す。図１において、１００１はデジタルビデオカメラ本体である。１００２はデジタルビデオカメラの液晶表示画面、１００３はファイナライズを行なうファイナライズボタンであり、１００４は記録媒体であるDVDディスクである。１００５は記録媒体であるメモリカードである。
【００１４】
記録媒体であるDVDディスク１００４及びメモリカード１００５は、デジタルビデオカメラ本体１００１に挿入され、動画像及び静止画像を記録するための記録先となる。DVDディスク１００４には記録時と再生時で異なるフォーマットがあり、記録後のディスクを再生機で記録コンテンツを再生しようとする場合には、ファイナライズと言う処理が必要である。
【００１５】
ファイナライズ処理においては、管理情報の作成、ファイルシステムの作成及び未記憶領域の穴埋め作業などが行われる。各処理が終了すると、ファイナライズ済みディスクとして認識されるようになり、DVDフォーマットに則った再生機であればディスク内のコンテンツを他の機器で再生することが可能となる。
【００１６】
図２に、デジタルビデオカメラ本体１００１の内部構成の一例を示す。図２において、２００１はDVDディスク１００４やメモリカード１００５にあたる記録媒体であり、２００２は各記録媒体に対して記録及び再生を行なうための記録再生部である。２００３はデジタルビデオカメラの液晶表示画面１００２に相当する表示部であり、２００４は入力されてきたデータをデジタルデータに変換する撮像部であり、２００５は映像を入力するCCDである。
【００１７】
２００６はユーザの入力を検知するための検知部であり、２００７はファイナライズ時に使用するファイナライズボタン１００３を含む操作部である。２００８は各部の制御を司る制御部であり、２００９は制御部２００８が自由に使用可能なメモリである。この記憶領域はデジタルビデオカメラ本体１００１の電源がOFFになってもデータを保持できる。破線は制御部２００８の制御データを示す線であり、各装置を駆動するモジュールを制御することが可能である。
【００１８】
CCD２００５から入力されてきた映像データは、撮像部２００４を通して記録可能なデータに変換され記録再生部２００２へ入力され、同時に撮影時の映像をユーザに表示するために表示部１００２に出力される。記録再生部２００２は入力された映像データを記録媒体２００１のサポートするフォーマットに則して記録する。
【００１９】
制御部２００８では、ユーザの入力するデータである撮影開始のトリガボタンの押下や、メニューから選択されて入力されるユーザ情報を検知部２００６によって検知する。検知すると、記録再生部２００２や表示部２００３に対して、指示に応じた所定の動作を行なうように指示を出し、映像データの記録や再生を制御している。
【００２０】
ユーザが記録を終了し、DVDディスク１００４に対してファイナライズ処理を行う場合のフローチャートを図３に示す。
図３に示したように、処理が開始されると、先ず、ユーザが記録終了を行なうかどうかを判断する(ステップＳ３００１)。一般的に、記録終了が行われるまでファイナライズ処理には移行しない。
【００２１】
ステップＳ３００１の判断の結果、記録が終了されると、DVDディスク１００４をファイナライズするかどうかの判断を行なう(ステップＳ３００２)。この判断の結果、ＤＶＤディスク１００４をファイナライズしない場合は、ディスクには記録が可能であるため処理は何も行なわない。
【００２２】
一方、ファイナライズボタン２００７が押下された場合には、検知部２００６においてそれが検知され、制御部２００８によってファイナライズ処理を行うための指示が各装置に対して送信される。
【００２３】
制御部２００８では、ファイナライズが選択されると、ファイナライズ選択時の日時が取得されて記憶領域２００９に記録される(ステップＳ３００３)。次に、表示部２００３に対してタイトルを入力するかどうかのメッセージを表示させるように指示を出す(ステップＳ３００４)。
【００２４】
ここで、ユーザはDVDディスク１００４に記録するためのタイトルを自由に入力することが可能である(ステップＳ３００５)。ユーザが入力したタイトルは制御部２００８の管理する記憶領域２００９に記録される。また、ステップＳ３００４の指示に係らず、ユーザがタイトルを入力しなかった場合には、システム内部で生成するデフォルトのタイトルを設定する(ステップＳ３００６)。
【００２５】
次に、制御部２００８は、記録再生部２００２に対して挿入されているファイナライズを行う記録媒体２００１に記録領域がどれぐらい残っているかを確認する(ステップＳ３００７)。この確認の結果、記録媒体２００１に記録領域が残っている場合には、Vendor（製品を販売する会社）独自領域として一定領域を確保する(ステップＳ３００８)。一方、ステップＳ３００７の確認の結果、記録媒体２００１に記録領域が残っていない場合には記憶領域２００９のシステムメモリに領域を確保する(ステップＳ３００９)。
【００２６】
その後、ユーザの入力したタイトル、日時、記録媒体２００１内の代表画像（各画像ファイルのサムネイル画像データ）、当日ファイナライズしたディスクの枚数などを用いてラベル情報を生成する(ステップＳ３０１０)。このときに作成するラベル情報は、印刷を目的とした画像情報である。
【００２７】
次に、生成されたラベル情報を記録媒体２００１上のVendor独自領域に対して記録する(ステップＳ３０１１)。記録媒体２００１に記録領域が確保できなかった場合には、記憶領域２００９に記録する。記録媒体２００１内のVendor独自領域の一例を図４に示す。
【００２８】
図４は、ディスク状の記録媒体２００１の半径方向の記録領域を示している。DVDディスク１００４は、Lead in情報を記録する部分を開始点として記録を開始し、映像データを次々とディスク内の空き領域に記録していく。
【００２９】
そして、ファイナライズが行われると記録したData部分の後に、Vendor独自領域として記録領域を確保するために、Border inとBorder outという領域を区切るためのボーダーを指定する。これにより、Vendor独自領域を確保し、Vendorの任意のデータを記録することができる。なお、ディスクはLead out情報が記録された位置が終点である。
【００３０】
ラベル情報を記録し終わると、記録媒体２００１に対してファイナライズ処理を行う(ステップＳ３０１２)。ファイナライズ処理においては、Vendor独自領域を含めた全てのデータを再生可能なフォーマットとして認識させるための管理情報を記録する。そして、記録されたデータを扱うためのファイルシステム情報を作成し、空き領域に対してダミーのデータを記録する処理を行う。このファイナライズ処理が行なわれることによって再生機ではディスクのコンテンツ情報を読み出して再生することが可能となる。
【００３１】
ファイナライズ処理が正常に終了したと判断すると(ステップＳ３０１３)、前記ラベル情報を記憶領域２００９に記憶させる(ステップＳ３０１４)。この処理は、ディスク内に記録領域が確保されなかった場合には、すでに行っているため処理を行なわない。前記ラベル情報は、ディスクの情報と同じ内容のものが印刷を目的としたフォーマットで記憶される。
【００３２】
一方、ステップＳ３０１３の判断の結果、ファイナライズ処理が失敗した場合には表示部２００３に対してエラー情報を表示し、ユーザにファイナライズ処理が失敗した旨を通知する(ステップＳ３０１５)。
【００３３】
以上、説明したように、本実施の形態では、ファイナライズ処理を実行するときに、記録媒体に関するラベル情報を同時に作成することが可能である。これにより、前記ラベル情報を本体内部と該当の記録媒体に対して記録することにより、後の印刷処理で簡便に利用することが可能なラベル情報を保持することが可能となる。
【００３４】
本実施の形態ではタイトルや日時、代表図などを基にラベルを生成している。この他に、デジタルビデオカメラ本体１００１に関するモデル名やメーカー名、記録時のホワイトバランスなどの記録パラメータ情報、記録媒体２００１の持つ識別情報、メモリカード１００５などから入力された情報などを用いてラベルを生成してもよい。このようにすることにより、本発明の目的であるファイナライズ時にラベル情報を生成する目的は達成される。
【００３５】
また、本実施の形態では、記録媒体としてDVDディスク１００４を用いたが、ファイナライズ処理のような記録可能な状態から再生可能な状態へと変更するための処理を必要とする全ての記録媒体に対しても適用可能である。これにより、本実施の形態においては、記録媒体に関する印刷形態のラベル情報を自動的に生成することが可能となる。
【００３６】
（第２の実施の形態）
次に、本発明における第２の実施の形態について説明を行なう。
本実施の形態におけるデジタルビデオカメラ及びプリンタの構成を図５に示す。図５において、５００１はデジタルビデオカメラ本体であり、５００２はデジタルビデオカメラの液晶表示画面、５００３はファイナライズを行なうファイナライズボタンである。５００４は記録媒体であるDVDディスク、５００５は記録媒体であるメモリカードである。
【００３７】
記録媒体であるDVDディスク５００４及びメモリカード５００５は、デジタルビデオカメラ本体５００１に挿入され、動画像及び静止画像を記録するための記録先となる。DVDディスク５００４には記録時と再生時で異なるフォーマットがあり、記録後のディスクを再生機で記録コンテンツを再生しようとする場合には、ファイナライズと言う処理が必要である。
【００３８】
ファイナライズ処理は、管理情報の作成、ファイルシステムの作成及び未記憶領域の穴埋め作業などが行われ、各処理が終了するとファイナライズ済みディスクとして認識されるようになる。これにより、DVDフォーマットに則った再生機であればディスク内のコンテンツを再生することが可能となる。
【００３９】
５００６はデジタルビデオカメラ本体５００１の持つUSBインタフェースと接続されるUSBケーブルであり、５００７は前記USBケーブルを用いて接続されるプリンタである。デジタルビデオカメラ本体５００１とプリンタ５００７は、USBケーブル５００６を通してデータを送受信することが可能であり、USB規格に準拠したプロトコルを用いて画像やテキストなどのデータを印刷することが可能である。
【００４０】
プリンタ５００７は、USBのホストとして動作し、デジタルビデオカメラ本体５００１はUSBのデバイスとして動作する。このため、デジタルビデオカメラ本体５００１からデータを送受信したい場合には、インタラプトを発行してホスト側からデータを読み取ってもらう必要がある。
【００４１】
図６に、デジタルビデオカメラ５００１の内部ブロック構成の一例を示す。
図６において、６００１はDVDディスク５００４やメモリカード５００５にあたる記録媒体であり、６００２は各記録媒体に対して記録及び再生を行なうための記録再生部である。６００３はデジタルビデオカメラの液晶表示画面５００２に相当する表示部である。
【００４２】
６００４は入力されてきたデータをデジタルデータに変換する撮像部であり、６００５は映像を入力するCCDであり、６００６はユーザの入力を検知するための検知部である。また、６００７はファイナライズ時に使用するファイナライズボタンを含む操作部である。６００８はデジタルインタフェースの入出力を行なうためのインタフェース部であり、USBなどのデジタルインタフェースに対応したコマンドや画像データを送受信することができる。
【００４３】
６００９は各部の制御を司る制御部であり、６０１０は制御部６００９が自由に使用可能なメモリとして機能する記憶領域であり、この記憶領域６０１０はデジタルビデオカメラ本体５００１の電源がOFFになってもデータを保持できる。破線は制御部６００９の制御データを示す線であり、各部を駆動するモジュールを制御することが可能である。
【００４４】
CCD６００５から入力されてきた映像データは、撮像部６００４を通して記録可能なデータに変換され記録再生部６００２へ入力され、同時に撮影時の映像をユーザに表示するために表示部６００３に出力される。また、デジタルインタフェースが有効な場合には、外部接続装置が動画像を表示できる機器であれば、インタフェース部６００８を通して映像を出力することも可能である。
【００４５】
記録再生部６００２は、入力された映像データを記録媒体６００１のサポートするフォーマットに則して記録する。制御部６００９では、ユーザの入力するデータである撮影開始のトリガボタンの押下や、メニューから選択されて入力されるユーザ情報を検知部６００６によって検知する。検知すると、記録再生部６００２や表示部６００３、インタフェース部６００８に対して、指示に応じた所定の動作を行なうように指示を出し、映像データの記録や再生を制御している。
【００４６】
制御部６００９では、インタフェース部６００８の情報に基づいて、外部接続機器からのコマンド要求を受け付けて記録媒体に記録されている映像データや写真などを外部接続機器へ出力することが可能である。
【００４７】
ユーザが記録を終了し、DVDディスク５００４に対してファイナライズ処理を行う場合のフローチャートを図７に示す。
処理が開始されると、先ず、最初にユーザが記録終了を行なうかどうかを判断し(ステップＳ７００１)、記録終了が行われるまでファイナライズ処理には移行しない。ステップＳ７００１の判断の結果、記録が終了されると、DVDディスク５００４をファイナライズするかどうかの判断を行なう(ステップＳ７００２)。この判断の結果、ファイナライズしない場合は、DVDディスク５００４には記録が可能であるため処理は何も行なわないで本処理を終了する。
【００４８】
一方、ファイナライズボタン６００７が押下された場合には、その押下操作が検知部６００６において検知され、制御部６００９によってファイナライズ処理を行うための指示が各装置に対して送信される。デジタルインタフェースを制御するインタフェース部６００８に対してもファイナライズ処理のため外部からの入力を受け付けることができないように指示を出力する。
【００４９】
ステップＳ７００２において、ファイナライズが選択されると制御部６００９では、ファイナライズ選択時の日時が記憶領域６０１０に記録される(ステップＳ７００３)。次に、表示部６００３に対してタイトルを入力するかどうかのメッセージを表示させるように指示を出す(ステップＳ７００４)。
【００５０】
ここで、ユーザはDVDディスク５００４に記録するためのタイトルを自由に入力することが可能である(ステップＳ７００５)。ユーザが入力したタイトルは、記憶領域６０１０に記録される。ステップＳ７００４の指示に対して、ユーザがタイトルを入力しなかった場合には、システム内部で生成するデフォルトのタイトルを設定する(ステップＳ７００６)。
【００５１】
次に、制御部６００９は記録再生部６００２に対し、記録媒体６００１に記録領域がどれぐらい残っているかを確認する(ステップＳ７００７)。この確認の結果、記録領域が所定量以上残っている場合には、Vendor独自領域として一定領域を確保する(ステップＳ７００８)。
【００５２】
一方、ステップＳ７００７の確認の結果、記録媒体６００１に記録領域が残っていない場合には記録媒体６００１のシステムメモリに領域を確保する(ステップＳ７００９)。その後、ユーザの入力したタイトル、日時、記録媒体６００１に記録されている各画像ファイルの代表画像データ、記録媒体６００１をファイナライズした総数などを用いてラベル情報を生成する(ステップＳ７０１０)。このときに作成するラベル情報は、印刷を目的とした画像情報である。
【００５３】
そして、生成したラベル情報を記録媒体６００１上に先ほど確保したVendor独自領域に対して記録する(ステップＳ７０１１)。記録媒体６００１に記録領域が確保できなかった場合には、記録媒体６００１に記録する。記録媒体６００１内のデータ構成要素は前記の第１の実施の形態と同じ構成であり、内部構成図は図４に示してある。
【００５４】
ラベル情報を記録媒体６００１へ記録し終わると、ファイナライズ処理を行う(ステップＳ７０１２)。このファイナライズ処理が正常に終了したか否かを判断し(ステップＳ７０１３)、正常に終了すると、制御部６００９はインタフェース部６００８に対してUSBケーブル５００６を介してプリンタ５００７が接続されているかを確認する(ステップＳ７０１４)。
【００５５】
この確認の結果、プリンタ５００７が接続されていると、割り込みコマンド(Interrupt)をプリンタ５００７に対して発行し、プリンタ５００７からのデータ読み取りを促す(ステップＳ７０１６)。プリンタ５００７は、インタラプトを受け取るとデジタルビデオカメラ本体５００１の情報を読みにきて、どのような要求が発生したかを知る。ここではデジタルビデオカメラ内部のラベル情報を印刷するためにプリンタ５００７に対してインタラプトを発行しているため、プリンタ５００７は所定のメッセージコマンドをビデオカメラに対して送信する。
【００５６】
プリンタ５００７は、ファイル情報を取得するためのGet File Infoコマンドを送る。デジタルビデオカメラ本体５００１では、受け取ったコマンドに対してレスポンスとしてFile Infoを送る。プリンタ５００７は、ファイル情報を受け取ると必要なファイルを取得するためのGet Fileコマンドを送信する。
【００５７】
デジタルビデオカメラ本体５００１では、ステップＳ７０１０においてラベル情報を生成しているため、このラベル情報をプリンタ５００７に対してImage Fileとして送信する(ステップＳ７０１７)。
【００５８】
プリンタ５００７はラベル情報を受け取ると、すぐに印刷を開始して印刷状況をデジタルビデオカメラ本体５００１に対してNotify Device Statusとして逐次送信する。デジタルビデオカメラ本体５００１では、このステータス情報を受信することによりエラーの発生や印刷処理の進行状況を取得することが可能である。
【００５９】
印刷処理が正常終了すると、プリンタ５００７から正常終了のステータスが送られてくるため、インタフェース部６００８から前記ステータス情報を取得すると制御部６００９では、保持しておいたラベル情報を削除する(ステップＳ７０１８)。一連のUSBを用いた場合の印刷シーケンスの一例を図８に示す。
【００６０】
プリンタ５００７が接続されていなかった場合には、ラベル情報を記憶領域６０１０に対して印刷可能な画像データとして記憶する(ステップＳ７０１９)。この処理は、ディスク内に記録領域が確保されなかった場合には、すでに行っているため処理を行なわない。前記ラベル情報は、ディスクの情報と同じ内容のものが印刷を目的としたフォーマットで記憶される。
【００６１】
保存されたラベル情報は、プリンタ５００７が接続されて印刷処理が指定されると、制御部６００９により読み出され、インタフェース部６００８を介してプリンタ５００７へ送られ、所定のラベル用紙などに印刷される。このラベル情報は印刷が終了するまで保持されるため、プリンタ５００７からの印刷正常終了を受信すると記憶領域６０１０から削除される。
【００６２】
また、ラベル情報はユーザが印刷をデジタルビデオカメラ本体５００１から直接行なわなかった場合には保持され続けるため、表示部６００３などに表示させてユーザが直接削除することも可能である。
【００６３】
一方、ステップＳ７０１３の判断において、ファイナライズ処理が失敗すると表示部６００３に対してエラー情報を表示し、ユーザにファイナライズ処理が失敗した旨を通知する(ステップＳ７０１５)。ユーザは、ファイナライズ処理が失敗したことを知ると再度ファイナライズを行なうかどうかの判断を行い、再度行なう場合にはファイナライズボタン６００７を押してファイナライズを選択することが必要となる。
【００６４】
以上、説明したように、本実施の形態では、ファイナライズ処理を実行するときに、記録媒体に関するラベル情報を同時に作成することが可能である。これにより、プリンタ５００７などの印刷可能な装置が接続されているときに直接印刷情報を送信し、ファイナライズ処理と同時にラベルの印刷が可能である。
【００６５】
また、プリンタ５００７の接続がなかった場合においても、前記ラベル情報を本体内部と該当の記録媒体に対して記録することにより、後の印刷処理で簡便に利用することの可能なラベル情報を保持することが可能である。
【００６６】
本実施の形態ではタイトルや日時、代表図などを基にラベルを生成している。この他に、デジタルビデオカメラ本体５００１に関するモデル名やメーカー名、記録時のホワイトバランスなどの記録パラメータ情報、記録媒体６００１の持つ識別情報、メモリカード５００５などから入力された情報を用いてラベルを生成してもよい。また、接続されたプリンタ５００７の機種情報やメーカー名、印刷時に必要となるパラメータ情報などを用いてラベルを生成しても、本発明の目的であるファイナライズ時にラベル情報を生成する目的は達成される。
【００６７】
また、本実施の形態では、記録媒体としてDVDディスク５００４を用いた例をしめしたが、この他に、ファイナライズ処理のような記録可能な状態から再生可能な状態へと変更するための処理を必要とする全ての記録媒体に対しても適用可能である。本実施の形態により、記録媒体に関する印刷形態のラベル情報を自動的に生成することが可能である。
【００６８】
また本実施の形態では、インタフェースとしてUSBを用いて印刷シーケンスについて説明を行ったが、印刷装置とのデータ送受信が可能なデジタルインタフェースであればどのような形状、接続構成、シーケンスであっても本発明の目的は達成される。
【００６９】
（本発明に係る他の実施の形態）
前述した本発明の実施の形態における記録装置を構成する各手段、並びに記録装置の制御方法の各ステップは、コンピュータのＲＡＭやＲＯＭなどに記憶されたプログラムが動作することによって実現できる。このプログラム及び前記プログラムを記録したコンピュータ読み取り可能な記録媒体は本発明に含まれる。
【００７０】
また、本発明は、例えば、システム、装置、方法、プログラムもしくは記憶媒体等としての実施の形態も可能であり、具体的には、複数の機器から構成されるシステムに適用してもよいし、また、一つの機器からなる装置に適用してもよい。
【００７１】
なお、本発明は、前述した実施の形態の機能を実現するソフトウェアのプログラム（実施の形態では図３及び図７に示すフローチャートに対応したプログラム）を、システムあるいは装置に直接、あるいは遠隔から供給する。そして、そのシステムあるいは装置のコンピュータが前記供給されたプログラムコードを読み出して実行することによっても達成される場合を含む。
【００７２】
したがって、本発明の機能処理をコンピュータで実現するために、前記コンピュータにインストールされるプログラムコード自体も本発明を実現するものである。つまり、本発明は、本発明の機能処理を実現するためのコンピュータプログラム自体も含まれる。
【００７３】
その場合、プログラムの機能を有していれば、オブジェクトコード、インタプリタにより実行されるプログラム、ＯＳに供給するスクリプトデータ等の形態であってもよい。
【００７４】
プログラムを供給するための記録媒体としては、例えば、フロッピー（登録商標）ディスク、ハードディスク、光ディスク、光磁気ディスク、ＭＯ、ＣＤ−ＲＯＭ、ＣＤ−Ｒ、ＣＤ−ＲＷなどがある。また、磁気テープ、不揮発性のメモリカード、ＲＯＭ、ＤＶＤ（ＤＶＤ−ＲＯＭ，ＤＶＤ−Ｒ）などもある。
【００７５】
その他、プログラムの供給方法としては、クライアントコンピュータのブラウザを用いてインターネットのホームページに接続する。そして、前記ホームページから本発明のコンピュータプログラムそのもの、もしくは圧縮され自動インストール機能を含むファイルをハードディスク等の記録媒体にダウンロードすることによっても供給できる。
【００７６】
また、本発明のプログラムを構成するプログラムコードを複数のファイルに分割し、それぞれのファイルを異なるホームページからダウンロードすることによっても実現可能である。つまり、本発明の機能処理をコンピュータで実現するためのプログラムファイルを複数のユーザに対してダウンロードさせるＷＷＷサーバも、本発明に含まれるものである。
【００７７】
また、本発明のプログラムを暗号化してＣＤ−ＲＯＭ等の記録媒体に格納してユーザに配布し、所定の条件をクリアしたユーザに対し、インターネットを介してホームページから暗号化を解く鍵情報をダウンロードさせる。そして、ダウンロードした鍵情報を使用することにより暗号化されたプログラムを実行してコンピュータにインストールさせて実現することも可能である。
【００７８】
また、コンピュータが、読み出したプログラムを実行することによって、前述した実施の形態の機能が実現される。その他、そのプログラムの指示に基づき、コンピュータ上で稼動しているＯＳなどが、実際の処理の一部または全部を行い、その処理によっても前述した実施の形態の機能が実現され得る。
【００７９】
さらに、記録媒体から読み出されたプログラムが、コンピュータに挿入された機能拡張ボードやコンピュータに接続された機能拡張ユニットに備わるメモリに書き込まれる。その後、そのプログラムの指示に基づき、その機能拡張ボードや機能拡張ユニットに備わるＣＰＵなどが実際の処理の一部または全部を行い、その処理によっても前述した実施の形態の機能が実現される。
【図面の簡単な説明】
【００８０】
【図１】第１の実施の形態におけるデジタルビデオカメラの概観構成を説明する図である。
【図２】第１の実施の形態におけるデジタルビデオカメラの内部構成の一例を説明するブロック図である。
【図３】第１の実施の形態において実行するファイナライズ時の処理手順を説明するフローチャートである。
【図４】ディスク内部の記録領域を示す概念図である。
【図５】第２の実施の形態におけるネットワーク構成の一例を説明する図である。
【図６】第２の実施の形態におけるデジタルビデオカメラの内部構成の一例を説明するブロック図である。
【図７】第２の実施の形態において実行するファイナライズ時の処理手順を説明するフローチャートである。
【図８】印刷時の印刷シーケンスの一例を説明する図である。
【符号の説明】
【００８１】
１００１  デジタルビデオカメラ本体
１００２  デジタルビデオカメラの液晶表示画面
１００３  ファイナライズボタン
１００４  DVDディスク
１００５  メモリカード
２００１  記録媒体
２００２  記録再生部
２００３  表示部
２００４  撮像部
２００５  CCD
２００６  検知部
２００７  操作部
２００８  制御部
２００９  メモリ
【図１】
2007073156.tif 000003
【図２】
2007073156.tif 000004
【図３】
2007073156.tif 000005
【図４】
2007073156.tif 000006
【図５】
2007073156.tif 000007
【図６】
2007073156.tif 000008
【図７】
2007073156.tif 000009
【図８】
2007073156.tif 000010